(57)【要約】【課題】ウォブル信号の振幅変動を低減することができ、ウォブル信号の振幅変動に起因する読み取り性能の劣化を抑制し、記録エラー防止に対する信頼性を高めた光ディスク装置及びその制御方法を提供することを目的とする。【解決手段】本発明の光ディスク装置の制御方法は、ウォブル信号の振幅制御を行なう制御部を備え、前記制御部は、光ディスク記録面上において、複数の位置のウォブル信号振幅を測定し（Ｓ１１）、得られた前記ウォブル信号振幅を基に決定されるゲイン（Ｓ１２）と前記ウォブル信号振幅を測定した光ディスク記録面上における位置の位置情報とを、それぞれが対応するようにゲイン設定用のテーブルに保持し（Ｓ１４）、前記ウォブル信号の振幅制御は、前記ゲイン設定用のテーブル情報を基に行なわれることを特徴とする。【選択図】図３
2006134464.tif 000002
【特許請求の範囲】
【請求項１】
ウォブル信号の振幅制御を行なう制御方法であって、光ディスク記録面上において、複数の位置のウォブル信号振幅を測定し、得られた前記ウォブル信号振幅を基に決定されるゲインと前記ウォブル信号振幅を測定した光ディスク記録面上における位置の位置情報とを、それぞれが対応するようにゲイン設定用のテーブルに保持し、前記ウォブル信号の振幅制御は、前記ゲイン設定用のテーブル情報を基に行なわれることを特徴とする光ディスク装置の制御方法。
【請求項２】
前記ウォブル信号の振幅制御は、前記光ディスクの記録面上を複数のゾーンに分割し、それぞれのゾーンに対して、個別のゲインを設定することを特徴とする請求項１記載の光ディスク装置の制御方法。
【請求項３】
前記光ディスクの記録面上を複数のゾーンに分割する分割方法は、前記光ディスクの内周側から外周側にかけての半径方向で分割することを特徴とする請求項１、２いずれか１項に記載の光ディスク装置の制御方法。
【請求項４】
前記ウォブル信号振幅を基に決定されるゲインは、あらかじめ設定されている選択可能な固定値の中から設定されることを特徴とする請求項１〜３いずれか１項に記載の光ディスク装置の制御方法。
【請求項５】
前記ゲイン設定用のテーブルは、一度設定された後も一定間隔もしくは随時更新されることを特徴とする請求項１〜４いずれか１項に記載の光ディスク装置の制御方法。
【請求項６】
前記光ディスクの記録面上を複数のゾーンに分割する分割方法は、前記光ディスクが２層ディスクの場合、１層目と２層目をそれぞれ別のゾーンとして分割することを特徴とする請求項１〜５いずれか１項に記載の光ディスク装置の制御方法。
【請求項７】
ウォブル信号の振幅制御を行なう制御部を備え、前記制御部は、光ディスク記録面上において、複数の位置のウォブル信号振幅を測定し、得られた前記ウォブル信号振幅を基に決定されるゲインと前記ウォブル信号振幅を測定した光ディスク記録面上における位置の位置情報とを、それぞれが対応するようにゲイン設定用のテーブルに保持し、前記ウォブル信号の振幅制御は、前記ゲイン設定用のテーブル情報を基に行なわれることを特徴とする光ディスク装置。
【発明の詳細な説明】
【技術分野】
【０００１】
本発明は、光ディスクに情報の記録または再生の少なくとも一方を行う光ディスク装置及びその制御方法に関するものである。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い、光ディスク装置のパーソナルコンピュータへの内蔵普及率も高くなっている。
【０００３】
ここで、光ディスク装置の構成について、図４を用いて説明する。
【０００４】
図４は、従来の光ディスク装置における光ピックアップ制御部のブロック図である。図４において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１２はレーザ駆動部、１３はコントローラである。
【０００５】
以上のように構成された従来の技術における光ピックアップ制御部の動作について説明する。図４において、ピックアップモジュール２は、光ディスク１を回転させるスピンドルモータ３と、光ディスク１の情報信号を読み取るもしくは書き込むことの少なくとも一方を行なう光ピックアップ４と、光ピックアップ４が搭載されたキャリッジ５を光ディスク１の半径方向に移動させるためのフィード部６とによって構成されたものである。アナログ信号処理部８は、ピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【０００６】
フォーカスエラー信号とは、光ピックアップ４に備えられた対物レンズ（図示せず）より出射される光ビームスポットと光ディスク１の記録面との焦点方向のずれをいう。トラッキングエラー信号とは、前記光スポットと光ディスク１の情報トラックとの光ディスク半径方向のずれをいう。また、アナログ信号処理部８は、トラッキングエラー信号の低域成分を取り出し、サーボ処理部９に出力する。サーボ処理部９は、対物レンズとキャリッジ５との相対的な位置関係を示すレンズ位置信号を生成し、モータ駆動部１０に出力する。
【０００７】
サーボ処理部９は、ＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。フィード部６は、フィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。コントローラ１３は、このように構成されたサーボ部の全体のコントロールを行うものであり、アナログ信号処理部８、サーボ処理部９、モータ駆動部１０、デジタル信号処理部１１、レーザ駆動部１２の各部から送られる信号が入力され、これらの信号の演算処理等を行い、この演算処理の結果（信号）を各部に送出し、各部にて駆動、処理を実行させ、各部の制御を行うものである。
【０００８】
一方、記録型の光ディスクには、プリグルーブ（案内溝）が製造過程にて形成されている。このプリグルーブは、特定の周波数範囲で蛇行しながらウォブルを形成しており、ディスクのアドレス情報が変調されて記録されている。これらの情報を利用して、スピンドルモータの回転制御や光ディスク盤面上での位置情報を得ることができる。
【０００９】
ここで、従来のウォブル信号の生成法について、図５、図６を用いて説明する。
【００１０】
図５は、従来の光ディスク装置におけるウォブル生成部のブロック図である。図５において、２はピックアップモジュール、８はアナログ信号処理部、１１はデジタル信号処理部、１３はコントローラ、５１はウォブル回路、５１ａは増幅回路Ａ、５１ｂは増幅回路Ｂ、５１ｃは差動回路、５１ｄは増幅回路Ｃ、５１ｅはＢＰＦ、５１ｆは２値化回路、５１ｇはＡＤＣである。ウォブル回路５１は、アナログ信号処理部８の中にあり、増幅回路Ａ５１ａ、増幅回路Ｂ５１ｂ、差動回路５１ｃ、増幅回路Ｃ５１ｄ、ＢＰＦ５１ｅ、２値化回路５１ｆ、ＡＤＣ５１ｇにより構成される。
【００１１】
増幅回路Ａ５１ａと増幅回路Ｂ５１ｂは、ピックアップモジュール２から光ディスク１盤面上に記録されているウォブル信号をそれぞれ分割受信し、規定の振幅まで増幅する。増幅された信号は差動回路５１ｃへ送られ、そこで一つのウォブル信号へ合成される。合成された信号は増幅回路Ｃ５１ｄに送られ、そこで、ＡＤＣ５１ｇ、コントローラ１３を介して行なわれるフィードバックを利用して、規定の振幅まで増幅される。規定の信号まで増幅された信号は、ＢＰＦ５１ｅで周波数選択が行なわれ、２値化回路５１ｆで２値化が行なわれた後に、デジタル信号処理部１１へ送られる。
【００１２】
図６は、従来の光ディスク装置におけるウォブル生成のフローチャートである。光ディスク装置は、光ディスク１が挿入されると、スピンドルモータ３を回転させ、起動処理（Ｓ１）を開始し、フォーカスサーボ、トラッキングサーボをかけ（Ｓ２）、ディスク判別（Ｓ３）を行なう。この時、ウォブル信号があればＣＤ−Ｒ、ＣＤ−ＲＷに代表される記録型の光ディスクであり、ウォブル信号が無ければ、ＣＤ−ＲＯＭ、ＤＶＤ−ＲＯＭに代表される非記録型の光ディスクとなり、ＲＯＭディスクとして起動する（Ｓ９）。記録型の光ディスクは、ウォブル信号からスピンドルモータの回転制御や光ディスク盤面上での位置情報を得る必要があるため、ウォブル信号振幅を測定し（Ｓ４）、ウォブル信号振幅のゲイン決定を行なう（Ｓ５）。ウォブル信号振幅のゲイン決定（Ｓ５）が終了すると、光ディスク１のアドレス情報を読み取り（Ｓ６）、ディスク情報を取得し（Ｓ７）、使用者からのデータ記録動作待ちであるコマンド待ち（Ｓ８）となる。
【００１３】
先行例としては、（特許文献１）等がある。
【特許文献１】特開平９−３２６１３８号公報
【発明の開示】
【発明が解決しようとする課題】
【００１４】
しかしながら、上記従来の構成では、記録型の光ディスク１において、光ディスク１記録面の内周から外周にかけての緩やかなウォブル信号の振幅変動が存在するため、光ディスク１記録面の任意の１箇所のみのウォブル信号を測定して増幅回路Ｃ５１ｄのゲイン設定を行なうと、光ディスク１内外周でウォブル信号の読み取り性能が変動し、場合によっては記録中にエラーとなる。また、２層型の光ディスクにおいては、層間でのウォブル振幅が異なるため、層間を跨いで記録する場合、１層目、２層目の切り替え時にウォブルの読み取り劣化で記録中にエラーとなる。
【００１５】
本発明は、このような従来の課題を解決するものであり、ウォブル信号の振幅変動を低
減することができ、ウォブル信号の振幅変動に起因する読み取り性能の劣化を抑制し、記録エラー防止に対する信頼性を高めた光ディスク装置とその制御方法を提供することを目的とする。
【課題を解決するための手段】
【００１６】
本発明は、上記課題を解決するためになされたものであって、ウォブル信号の振幅制御を行なう制御方法であって、光ディスク記録面上において、複数の位置のウォブル信号振幅を測定し、得られたウォブル信号振幅を基に決定されるゲインとウォブル信号振幅を測定した光ディスク記録面上における位置の位置情報とを、それぞれが対応するようにゲイン設定用のテーブルに保持し、ウォブル信号の振幅制御は、ゲイン設定用のテーブル情報を基に行なわれることを特徴とする光ディスク装置の制御方法である。
【００１７】
また、本発明の光ディスク装置は、ウォブル信号の振幅制御を行なう制御部を備え、制御部は、光ディスク記録面上において、複数の位置のウォブル信号振幅を測定し、得られたウォブル信号振幅を基に決定されるゲインとウォブル信号振幅を測定した光ディスク記録面上における位置の位置情報とを、それぞれが対応するようにゲイン設定用のテーブルに保持し、ウォブル信号の振幅制御は、ゲイン設定用のテーブル情報を基に行なわれることを特徴とする光ディスク装置である。
【発明の効果】
【００１８】
本発明は上記構成により、複数箇所のウォブル信号の振幅を測定し、測定したウォブル信号の振幅とそれらの測定場所の情報により、増幅回路のゲイン設定を行なうため、光ディスクの内周側から外周側にかけての緩やかなウォブル信号の振幅変動に対して、最適なゲイン設定を行なうことができる。
【００１９】
このことにより、本発明は、このような従来の課題を解決するものであり、ウォブル信号の振幅変動を低減することができ、ウォブル信号の振幅変動に起因する読み取り性能の劣化を抑制し、記録エラー防止に対する信頼性を高めた光ディスク装置及びその制御方法を実現することができる。
【発明を実施するための最良の形態】
【００２０】
請求項１記載の発明は、ウォブル信号の振幅制御を行なう制御方法であって、光ディスク記録面上において、複数の位置のウォブル信号振幅を測定し、得られた前記ウォブル信号振幅を基に決定されるゲインと前記ウォブル信号振幅を測定した光ディスク記録面上における位置の位置情報とを、それぞれが対応するようにゲイン設定用のテーブルに保持し、前記ウォブル信号の振幅制御は、前記ゲイン設定用のテーブル情報を基に行なわれることを特徴とするものである。複数箇所のウォブル信号の振幅を測定し、測定したウォブル信号の振幅とそれらの測定場所の情報により、増幅回路のゲイン設定を行なうため、光ディスクの内周側から外周側にかけての緩やかなウォブル信号の振幅変動に対して、最適なゲイン設定を行なうことができる。このことにより、ウォブル信号の振幅変動を低減することができ、ウォブル信号の振幅変動に起因する読み取り性能の劣化を抑制し、記録エラー防止に対する信頼性を高めた光ディスク装置の制御方法を実現することができる。
【００２１】
請求項２記載の発明は、前記光ディスクの記録面上を複数のゾーンに分割し、それぞれのゾーンに対して、個別のゲインを設定することを特徴とするウォブル信号の振幅制御である。前記光ディスクの記録面上を複数のゾーンに分割することによって、ゲイン設定を複数のゾーンにより個別に管理することができ、より緻密なウォブル信号振幅の制御が可能となる。
【００２２】
請求項３記載の発明は、前記光ディスクの記録面上を複数のゾーンに分割する分割方法
が、前記光ディスクの内周側から外周側にかけての半径方向で分割されていることを特徴とするものである。ウォブル信号の振幅変動は主として、光ディスクの内周側から外周側にかけての緩やかな変動であるため、複数のゾーンに分割する分割方法を前記光ディスクの内周側から外周側にかけての半径方向で分割することによって、本発明の効果を最大限に発揮することができる。
【００２３】
請求項４記載の発明は、前記ウォブル信号振幅を基に決定されるゲインが、あらかじめ設定されている固定値の中から設定されることを特徴とするものである。ゲイン設定が前記ウォブル信号振幅を基に決定されるゲインを工場出荷時などにあらかじめ設定されている選択可能な固定値の中から設定されることによって、あらたにゲイン値を算出する演算回路を必要とせず、簡略な構成で本発明を実現することができる。
【００２４】
請求項５記載の発明は、前記ゲイン設定用のテーブルは、一度設定された後も一定間隔もしくは随時更新されることを特徴とするものである。一度設定された後も随時更新することによって、光ディスク装置を長時間使用する際の温度変化や光ディスク装置の小型化による急激な温度変化などによるウォブル信号の振幅変動にも対応することが可能となる。
【００２５】
請求項６記載の発明は、前記光ディスクの記録面上を複数のゾーンに分割する分割方法が、前記光ディスクが２層ディスクの場合、１層目と２層目をそれぞれ別のゾーンとして分割することを特徴とするものである。光ディスクが２層ディスクの場合、１層目と２層目をそれぞれ別のゾーンとして分割することによって、層間で異なるウォブル信号振幅に対応することができる。
【００２６】
請求項７記載の発明は、ウォブル信号の振幅制御を行なう制御部を備え、前記制御部は、光ディスク記録面上において、複数の位置のウォブル信号振幅を測定し、得られた前記ウォブル信号振幅を基に決定されるゲインと前記ウォブル信号振幅を測定した光ディスク記録面上における位置の位置情報とを、それぞれが対応するようにゲイン設定用のテーブルに保持し、前記ウォブル信号の振幅制御は、前記ゲイン設定用のテーブル情報を基に行なわれることを特徴とするものである。複数箇所のウォブル信号の振幅を測定し、測定したウォブル信号の振幅とそれらの測定場所の情報により、増幅回路のゲイン設定を行なうため、光ディスクの内周側から外周側にかけての緩やかなウォブル信号の振幅変動に対して、最適なゲイン設定を行なうことができる。このことにより、ウォブル信号の振幅変動を低減することができ、ウォブル信号の振幅変動に起因する読み取り性能の劣化を抑制し、記録エラー防止に対する信頼性を高めた光ディスク装置を実現することができる。
【００２７】
（実施の形態１）
以下、本発明の一実施の形態について、図面を参照しながら説明する。
【００２８】
図１は、本発明の一実施の形態における光ディスク装置の光ピックアップ制御部のブロック図である。図１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１２はレーザ駆動部、１３はコントローラである。
【００２９】
以上のように構成された本発明の一実施の形態における光ピックアップ制御部の動作について説明する。図１において、ピックアップモジュール２は、光ディスク１を回転させるスピンドルモータ３と、光ディスク１の情報信号を読み取るもしくは書き込むことの少なくとも一方を行なう光ピックアップ４と、光ピックアップ４が搭載されたキャリッジ５を光ディスク１の半径方向に移動させるためのフィード部６とによって構成されたもので
ある。アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【００３０】
フォーカスエラー信号とは、光ピックアップ４に備えられた対物レンズ（図示せず）より出射される光ビームスポットと光ディスク１の記録面との焦点方向のずれをいう。トラッキングエラー信号とは、前記光スポットと光ディスク１の情報トラックとの光ディスク半径方向のずれをいう。また、アナログ信号処理部８はトラッキングエラー信号の低域成分を取り出し、サーボ処理部９に出力する。サーボ処理部９は対物レンズとキャリッジ５との相対的な位置関係を示すレンズ位置信号を生成し、モータ駆動部１０に出力する。
【００３１】
サーボ処理部９はＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。フィード部６はフィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【００３２】
ここで、コントローラ１３は本発明の制御部を構成し、アナログ信号処理部８、サーボ処理部９、モータ駆動部１０、デジタル信号処理部１１、レーザ駆動部１２の各部から送られる信号が入力され、これらの信号の演算処理等を行い、この演算処理の結果（信号）を各部に送出し、各部にて駆動、処理を実行させ、各部の制御を行うものである。なお、詳細な説明や図示は省略するが、コントローラ１３には、少なくとも、演算機能を備えたＣＰＵ、ＭＰＵ等の演算処理装置や、ＲＯＭ、ＲＡＭ等の記憶装置を備えることは言うまでもない。
【００３３】
一方、記録型の光ディスクには、プリグルーブ（案内溝）が製造過程にて形成されている。このプリグルーブは、特定の周波数範囲で蛇行しながらウォブルを形成しており、ディスクのアドレス情報が変調されて記録されている。これらの情報を利用して、スピンドルモータの回転制御や光ディスク盤面上での位置情報を得ることができる。
【００３４】
ここで、本発明の特徴部分であるウォブル生成法について、図２、図３を用いて説明する。
【００３５】
図２は、本発明の一実施の形態におけるウォブル生成部のブロック図である。図２において、２はピックアップモジュール、８はアナログ信号処理部、１１はデジタル信号処理部、１３はコントローラ、５１はウォブル回路、５１ａは増幅回路Ａ、５１ｂは増幅回路Ｂ、５１ｃは差動回路、５１ｄは増幅回路Ｃ、５１ｅはＢＰＦ、５１ｆは２値化回路、５１ｇはＡＤＣである。ウォブル回路５１は、アナログ信号処理部８の中にあり、増幅回路Ａ５１ａ、増幅回路Ｂ５１ｂ、差動回路５１ｃ、増幅回路Ｃ５１ｄ、ＢＰＦ５１ｅ、２値化回路５１ｆ、ＡＤＣ５１ｇにより構成される。
【００３６】
増幅回路Ａ５１ａと増幅回路Ｂ５１ｂは、ピックアップモジュール２から光ディスク１盤面上に記録されているウォブル信号をそれぞれ分割受信し、規定の振幅まで増幅する。増幅された信号は差動回路５１ｃへ送られ、そこで一つのウォブル信号へ合成される。合成された信号は増幅回路Ｃ５１ｄに送られ、そこで、ＡＤＣ５１ｇ、コントローラ１３を介して行なわれるフィードバックを利用して、規定の振幅まで増幅される。規定の信号まで増幅された信号は、ＢＰＦ５１ｅで周波数選択が行なわれ、２値化回路５１ｆで２値化が行なわれた後に、デジタル信号処理部１１へ送られる。
【００３７】
従来、ＡＤＣ５１ｇ、コントローラ１３を介して行なわれるウォブル信号の振幅制御は、光ディスク記録面上の任意の１箇所のみのウォブル信号を測定して、増幅回路Ｃ５１ｄのゲイン設定を行なっていた。
【００３８】
ところが、本実施の形態では、ウォブル信号の振幅制御を行なう制御部が、光ディスク１記録面上において、複数の位置のウォブル信号振幅を測定し、得られたウォブル信号振幅を基に決定されるゲインと前記ウォブル信号振幅を測定した光ディスク記録面上における位置の位置情報とを、それぞれが対応するようにゲイン設定用のテーブルに保持し、前記ウォブル信号の振幅制御は、前記ゲイン設定用のテーブル情報を基に行なわれる。複数箇所のウォブル信号の振幅を測定し、測定したウォブル信号の振幅とそれらの測定場所の情報により、増幅回路のゲイン設定を行なうため、光ディスクの内周側から外周側にかけての緩やかなウォブル信号の振幅変動に対して、最適なゲイン設定を行なうことができる。
【００３９】
図３は、本発明の一実施の形態におけるウォブル生成のフローチャートである。
【００４０】
光ディスク装置は、光ディスク１が挿入されると、スピンドルモータ３を回転させ、起動処理（Ｓ１）を開始し、フォーカスサーボ、トラッキングサーボをかけ（Ｓ２）、ディスク判別（Ｓ３）を行なう。この時、ウォブル信号があれば、ＣＤ−Ｒ、ＣＤ−ＲＷに代表される記録型の光ディスクであり、ウォブル信号が無ければ、ＣＤ−ＲＯＭ、ＤＶＤ−ＲＯＭに代表される非記録型の光ディスクとなり、ＲＯＭディスクとして起動する（Ｓ９）。
【００４１】
記録型の光ディスクは、ウォブル信号からスピンドルモータの回転制御や光ディスク盤面上での位置情報を得る必要があるため、ウォブル信号振幅を測定し（Ｓ１１）、ウォブル信号振幅のゲイン決定を行なう（Ｓ１２）。ウォブル信号振幅の測定（Ｓ１１）とウォブル信号振幅のゲイン決定（Ｓ１２）は、光ディスク１の記録面上を複数のゾーンに分割し、それぞれのゾーンに対して、ウォブル信号振幅の測定（Ｓ１１）と個別のウォブル信号振幅のゲイン決定（Ｓ１２）を行なう。こうすることにより、ゲイン決定を複数のゾーンにより個別に管理することができ、より緻密なウォブル信号振幅の制御が可能となる。光ディスク１の記録面上を複数のゾーンに分割する分割方法は、前記光ディスクの内周側から外周側にかけての半径方向で分割されており、ウォブル信号の振幅変動は主として、光ディスクの内周側から外周側にかけての緩やかな変動であるため、複数のゾーンに分割する分割方法を前記光ディスクの内周側から外周側にかけての半径方向で分割することによって、本発明の効果を最大限に発揮することができる。また、２層ディスクの場合は、１層目、２層目をそれぞれ別のゾーンとして、分割することにより、層間で異なるウォブル信号振幅に対応することができる。
【００４２】
光ディスク１の記録面上に存在する複数のゾーン全てについて、ウォブル信号振幅の測定とウォブル信号振幅のゲイン決定が終了する（Ｓ１３）とゲイン設定用テーブルに位置情報とその位置でのゲイン情報を保持し（Ｓ１４）、以降のウォブル信号の振幅制御は、このゲイン設定用テーブルの情報を基に行なう。ゲイン設定用テーブルへの位置情報とその位置でのゲイン情報の保持（Ｓ１４）が終了すると、光ディスク１のアドレス情報を読み取り（Ｓ６）、ディスク情報を取得し（Ｓ７）、使用者からのデータ記録動作待ちであるコマンド待ち（Ｓ８）となる。
【００４３】
本実施の形態では、決定されるウォブル信号振幅のゲインは、測定されたウォブル信号振幅から計算で算出されるものでは無く、工場出荷時などにあらかじめ設定されている選択可能な固定値の中から設定することによって、あらたにゲイン値を算出する演算回路を
必要とせず、簡略な構成で本発明を実現することができる。
【００４４】
また、ゲイン設定用のテーブルは、一度設定された後も一定間隔もしくは随時更新されることによって、光ディスク装置を長時間使用する際の温度変化や光ディスク装置の小型化により急激な温度変化などによるウォブル信号の振幅変動にも対応することが可能となる。
【００４５】
このようにして、ウォブル信号の振幅変動を低減することができ、ウォブル信号の振幅変動に起因する読み取り性能の劣化を抑制し、記録エラー防止に対する信頼性を高めた光ディスク装置の制御方法を実現することができる。
【００４６】
また、上述の制御方法を光ディスク装置に用いることによって、ウォブル信号の振幅変動を低減することができ、ウォブル信号の振幅変動に起因する読み取り性能の劣化を抑制し、記録エラー防止に対する信頼性を高めた光ディスク装置を実現することができる。
【００４７】
なお、本実施の形態では、ウォブル信号振幅の測定（Ｓ１１）とウォブル信号振幅のゲイン決定（Ｓ１２）は、光ディスク１の記録面上を複数のゾーンに分割し、それぞれのゾーンに対して、ウォブル信号振幅の測定（Ｓ１１）と個別のウォブル信号振幅のゲイン決定（Ｓ１２）を行なうこととしたが、光ディスク１の記録面上を複数のゾーンに分割し、それぞれのゾーンに対して、ウォブル信号振幅の測定（Ｓ１１）と個別のウォブル信号振幅のゲイン決定（Ｓ１２）を行なうことに限定されるものでは無い。より緻密なウォブル信号振幅の制御を行なおうとすれば、光ディスク１の記録面上を複数のゾーンに分割し、それぞれのゾーンに対して、ウォブル信号振幅の測定（Ｓ１１）と個別のウォブル信号振幅のゲイン決定（Ｓ１２）を行なうことが好ましい。
【００４８】
また、本実施の形態では、光ディスクの記録面上を複数のゾーンに分割する分割方法を光ディスクの内周側から外周側にかけての半径方向で分割することとしたが、分割方法はこれに限定されるものではなく、例えば、光ディスク中心部から放射状にするものでもよい。
【００４９】
さらに、本実施の形態では、ウォブル信号振幅を基に決定されるゲインは、工場出荷時などにあらかじめ設定されている選択可能な固定値の中から設定されることとしたが、ウォブル信号振幅を基に決定されるゲインは、工場出荷時などにあらかじめ設定されている選択可能な固定値の中から設定されることに限定されるものでは無く、例えば、測定されたウォブル信号振幅から計算で算出されるものであっても良い。本発明を、簡略な構成で実現しようと思えば、ウォブル信号振幅を基に決定されるゲインは、工場出荷時などにあらかじめ設定されている選択可能な固定値の中から設定されることが好ましい。
【００５０】
さらにまた、本実施の形態では、ゲイン設定用のテーブルは、一度設定された後も一定間隔もしくは随時更新されることとしたが、ゲイン設定用のテーブルは、一度設定された後も一定間隔もしくは随時更新されることに限定されるものでは無い。光ディスク装置を長時間使用する際の温度変化や光ディスク装置の小型化により急激な温度変化などによるウォブル信号の振幅変動にも対応させようと思えば、ゲイン設定用のテーブルは、一度設定された後も一定間隔もしくは随時更新されることが好ましい。
【産業上の利用可能性】
【００５１】
本発明は、ウォブル信号の振幅変動を低減することができ、ウォブル信号の振幅変動に起因する読み取り性能の劣化を抑制し、記録エラー防止に対する信頼性を高めた光ディスク装置の制御方法を実現することができ、本発明は、光ディスクに情報の記録または再生の少なくとも一方を行う光ディスク装置及びその制御方法などに適応可能である。
【図面の簡単な説明】
【００５２】
【図１】本発明の一実施の形態における光ディスク装置の光ピックアップ制御部のブロック図
【図２】本発明の一実施の形態におけるウォブル生成部のブロック図
【図３】本発明の一実施の形態におけるウォブル生成のフローチャート
【図４】従来の光ディスク装置における光ピックアップ制御部のブロック図
【図５】従来の光ディスク装置におけるウォブル生成部のブロック図
【図６】従来の光ディスク装置におけるウォブル生成のフローチャート
【符号の説明】
【００５３】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    デジタル信号処理部
１２    レーザ駆動部
１３    コントローラ
５１    ウォブル回路
５１ａ    増幅回路Ａ
５１ｂ    増幅回路Ｂ
５１ｃ    差動回路
５１ｄ    増幅回路Ｃ
５１ｅ    ＢＰＦ
５１ｆ    ２値化回路
５１ｇ    ＡＤＣ
【図１】
2006134464.tif 000003
【図２】
2006134464.tif 000004
【図３】
2006134464.tif 000005
【図４】
2006134464.tif 000006
【図５】
2006134464.tif 000007
【図６】
2006134464.tif 000008